【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
ハイウェイ通信システム内のピア伝送を処理するための方法であって、
前記ハイウェイ通信システム内のピア伝送として送信されるべきメッセージの信頼性を決定することと、
前記メッセージが送信されるときに、前記決定された信頼性のインジケータを前記メッセージ中に含めることと、
前記メッセージの前記決定された信頼性に少なくとも部分的に基づいて前記メッセージに優先度を割り当てることと
を備え、
前記決定された信頼性は、前記メッセージ中で報告される値を推定するために使用される方法の識別または測定の不精確度を含む、方法。
【請求項２】
複数の信頼性決定が、前記メッセージ内に含まれる複数のタイプの情報について行われ、
前記メッセージが送信されるときに前記決定された信頼性のインジケータを前記メッセージ中に含めることが、前記メッセージ内に含まれる複数のタイプの情報について前記決定された信頼性の各々のインジケーションを前記メッセージ中に含めることを含む、請求項１に記載の方法。
【請求項３】
ハイウェイ通信システム内のピア伝送を処理するための方法であって、
通信ユニットにおいて前記ハイウェイ通信システム内のピア伝送メッセージを受信することと、
前記受信したメッセージの信頼性を決定することと、
前記メッセージの前記決定された信頼性に少なくとも部分的に基づいて前記メッセージに優先度を割り当てることと、
前記決定された信頼性のインジケータを含めて前記受信したメッセージを再送信することと
を備え、
前記決定された信頼性は、前記メッセージ中で報告される値を推定するために使用される方法の識別または測定の不精確度を含む、方法。
【請求項４】
前記受信したメッセージから信頼性インジケータを取得することと、
前記受信したメッセージのコンテンツを分析することと、
前記受信したメッセージの前記コンテンツが、前記受信したメッセージから取得された前記信頼性インジケータと矛盾するかどうかを決定することと
をさらに備え、
前記受信したメッセージの信頼性を決定することは、前記受信したメッセージの前記コンテンツが前記受信したメッセージから取得された前記信頼性インジケータと矛盾する場合、前記受信したメッセージにより低い信頼性を割り当てることを含む、請求項３に記載の方法。
【請求項５】
前記受信したメッセージの信頼性を決定することは、前記受信したメッセージの経過時間に基づいて、フィルタリングされたピア伝送が信頼できるかどうかを決定することを含む、請求項３に記載の方法。
【請求項６】
前記受信したメッセージの信頼性を決定することは、前記受信したメッセージの信号品質に基づいて、フィルタリングされたピア伝送が信頼できるかどうかを決定することを含む、請求項３に記載の方法。
【請求項７】
前記ハイウェイ通信システム内の路側ユニットから値を受信することと、
乱数を生成することと、
前記生成された乱数を前記受信した値と比較することと
をさらに備え、
前記受信したメッセージを再送信することが、前記生成された乱数と前記受信した値との前記比較の結果に基づいて達成される、請求項３に記載の方法。
【請求項８】
前記受信したメッセージの信頼性を決定することは、前記受信されたピア伝送の信号強度に基づいて、フィルタリングされたピア伝送が信頼できるかどうかを決定することを含む、請求項３に記載の方法。
【請求項９】
前記受信したメッセージの送信機までの距離を計算することをさらに備え、前記受信されたピア伝送の信号強度に基づいて前記フィルタリングされたピア伝送が信頼できるかどうかを決定することは、前記受信したメッセージの前記送信機までの前記計算された距離が前記受信されたピア伝送の前記信号強度と矛盾する場合、前記受信したメッセージにより低い信頼性を割り当てることを含む、請求項８に記載の方法。
【請求項１０】
前記割り当てられた優先度に従って前記受信したメッセージを処理すること
をさらに備える、請求項３に記載の方法。
【請求項１１】
前記メッセージに優先度を割り当てることが、前記受信したメッセージのヘッダ中のルーティングデータビット、ＭＡＣ識別子またはセキュリティ識別子に基づいて前記メッセージに優先度を割り当てることを含む、請求項１０に記載の方法。
【請求項１２】
前記メッセージに優先度を割り当てることが、前記受信されたピア伝送のドップラーシフトに基づいて前記メッセージに優先度を割り当てることを含む、請求項１０に記載の方法。
【請求項１３】
前記メッセージに優先度を割り当てることが、前記送信機のロケーションと前記送信機の高度とからなるグループから選択された１つまたは複数のパラメータに基づいて前記メッセージに優先度を割り当てることを含む、請求項１０に記載の方法。
【請求項１４】
前記メッセージに割り当てられた前記優先度のインジケーションを前記メッセージの前記再送信に含めることをさらに備える、請求項１０に記載の方法。
【請求項１５】
前記割り当てられた優先度に従って前記受信したメッセージを処理することが、高い割り当てられた優先度をもつメッセージを即座に処理することと、低い割り当てられた優先度をもつメッセージの処理を遅延させることとを含む、請求項１０に記載の方法。
【請求項１６】
前記メッセージの前記決定された信頼性に基づいて前記メッセージの前記割り当てられた優先度を調整することをさらに備える、請求項１０に記載の方法。
【請求項１７】
前記割り当てられた優先度に従って前記受信したメッセージを処理することは、より低い優先度のメッセージがより高い優先度のメッセージの後に処理されるように受信したメッセージの処理に優先度を付けることを含む、請求項１０に記載の方法。
【請求項１８】
前記受信されたピア伝送の送信機の近接度に基づいて前記メッセージの前記割り当てられた優先度を調整することをさらに備える、請求項１７に記載の方法。
【請求項１９】
前記割り当てられた優先度は、前記メッセージが伝送波形において符号化されるような形で反映される、請求項１０に記載の方法。
【請求項２０】
メッセージが直交周波数領域多重アクセス波形中で送信され、高優先度メッセージが、あらかじめ定められたサブキャリア中で送信され、送信フレーム内のあらかじめ定められた時間内で送信され、またはその両方で送信される、請求項１９に記載の方法。
【請求項２１】
ハイウェイ通信システム内での使用のために構成されたメッセージ処理ユニットであって、
ワイヤレストランシーバと、
前記ワイヤレストランシーバに結合されたプロセッサと
を備え、前記プロセッサは、
前記ハイウェイ通信システム内のピア伝送として送信されるべきメッセージの信頼性を決定することと、
前記メッセージの前記決定された信頼性に少なくとも部分的に基づいて前記メッセージに優先度を割り当てることと、
前記メッセージが送信されるときに、前記決定された信頼性のインジケータを前記メッセージ中に含めることと
を含む動作を実行するためのプロセッサ実行可能命令で構成され、
前記決定された信頼性は、前記メッセージ中で報告される値を推定するために使用される方法の識別または測定の不精確度を含む、メッセージ処理ユニット。
【請求項２２】
前記プロセッサは、
複数の信頼性決定が、前記メッセージ内に含まれる複数のタイプの情報について行われ、
前記メッセージが送信されるときに前記決定された信頼性のインジケータを前記メッセージ中に含めることが、前記メッセージ内に含まれる複数のタイプの情報について前記決定された信頼性の各々のインジケーションを前記メッセージ中に含めることを含む
ように、動作を実行するためのプロセッサ実行可能命令で構成された、請求項２１に記載のメッセージ処理ユニット。
【請求項２３】
ハイウェイ通信システム内のピア伝送を処理するためのメッセージ処理ユニットであって、
ワイヤレストランシーバと、
前記ワイヤレストランシーバに結合されたプロセッサと
を備え、前記プロセッサが、
通信ユニットにおいてピア伝送メッセージを受信することと、
前記受信したメッセージの信頼性を決定することと、
前記メッセージの前記決定された信頼性に少なくとも部分的に基づいて前記メッセージに優先度を割り当てることと、
前記決定された信頼性のインジケータを含めて前記受信したメッセージを再送信することと
を含む動作を実行するためのプロセッサ実行可能命令で構成され、
前記決定された信頼性は、前記メッセージ中で報告される値を推定するために使用される方法の識別または測定の不精確度を含む、メッセージ処理ユニット。
【請求項２４】
前記プロセッサは、
前記受信したメッセージから信頼性インジケータを取得することと、
前記受信したメッセージのコンテンツを分析することと、
前記受信したメッセージの前記コンテンツが、前記受信したメッセージから取得された前記信頼性インジケータと矛盾するかどうかを決定することと
をさらに備える動作を実行するためのプロセッサ実行可能命令で構成され、
前記受信したメッセージの信頼性を決定することは、前記受信したメッセージの前記コンテンツが前記受信したメッセージから取得された前記信頼性インジケータと矛盾する場合、前記受信したメッセージにより低い信頼性を割り当てることを含む、請求項２３に記載のメッセージ処理ユニット。
【請求項２５】
前記プロセッサは、前記受信したメッセージの信頼性を決定することが、前記受信したメッセージの経過時間に基づいてフィルタリングされたピア伝送が信頼できるかどうかを決定することを含むように、動作を実行するためのプロセッサ実行可能命令で構成された、請求項２３に記載のメッセージ処理ユニット。
【請求項２６】
前記プロセッサは、前記受信したメッセージの信頼性を決定することが、前記受信したメッセージの信号品質に基づいて、フィルタリングされたピア伝送が信頼できるかどうかを決定することを含むように、動作を実行するためのプロセッサ実行可能命令で構成された、請求項２３に記載のメッセージ処理ユニット。
【請求項２７】
前記プロセッサが、
前記ハイウェイ通信システム内の路側ユニットから値を受信することと、
乱数を生成することと、
前記生成された乱数を前記受信した値と比較することと
をさらに含む動作を実行するためのプロセッサ実行可能命令で構成され、
前記受信したメッセージを再送信することが、前記生成された乱数と前記受信した値との前記比較の結果に基づいて達成される、請求項２３に記載のメッセージ処理ユニット。
【請求項２８】
前記プロセッサは、前記受信したメッセージの信頼性を決定することが、前記受信されたピア伝送の信号強度に基づいて、フィルタリングされたピア伝送が信頼できるかどうかを決定することを含むように、動作を実行するためのプロセッサ実行可能命令で構成された、請求項２３に記載のメッセージ処理ユニット。
【請求項２９】
前記プロセッサが、前記受信したメッセージの送信機までの距離を計算することをさらに含む動作を実行するためのプロセッサ実行可能命令で構成され、
前記プロセッサは、前記受信されたピア伝送の信号強度に基づいて前記フィルタリングされたピア伝送が信頼できるかどうかを決定することが、前記受信したメッセージの前記送信機までの前記計算された距離が前記受信されたピア伝送の前記信号強度と矛盾する場合、前記受信したメッセージにより低い信頼性を割り当てることを含むように、動作を実行するためのプロセッサ実行可能命令で構成された、請求項２８に記載のメッセージ処理ユニット。
【請求項３０】
前記プロセッサが、
前記割り当てられた優先度に従って前記受信したメッセージを処理すること
をさらに含む動作を実行するためのプロセッサ実行可能命令で構成された、請求項２３に記載のメッセージ処理ユニット。
【請求項３１】
前記プロセッサは、前記メッセージに優先度を割り当てることが、前記受信したメッセージのヘッダ中のルーティングデータビット、ＭＡＣ識別子またはセキュリティ識別子に基づいて前記メッセージに優先度を割り当てることを含むように、動作を実行するためのプロセッサ実行可能命令で構成された、請求項３０に記載のメッセージ処理ユニット。
【請求項３２】
前記プロセッサは、前記メッセージに優先度を割り当てることが、前記受信されたピア伝送のドップラーシフトに基づいて前記メッセージに優先度を割り当てることを含むように、動作を実行するためのプロセッサ実行可能命令で構成された、請求項３０に記載のメッセージ処理ユニット。
【請求項３３】
前記プロセッサは、前記メッセージに優先度を割り当てることが、前記送信機のロケーションと前記送信機の高度とからなるグループから選択された１つまたは複数のパラメータに基づいて前記メッセージに優先度を割り当てることを含むように、動作を実行するためのプロセッサ実行可能命令で構成された、請求項３０に記載のメッセージ処理ユニット。
【請求項３４】
前記プロセッサが、前記メッセージに割り当てられた前記優先度のインジケーションを前記メッセージの前記再送信に含めることをさらに含む動作を実行するためのプロセッサ実行可能命令で構成された、請求項３０に記載のメッセージ処理ユニット。
【請求項３５】
前記プロセッサは、前記割り当てられた優先度に従って前記受信したメッセージを処理することが、高い割り当てられた優先度をもつメッセージを即座に処理することと、低い割り当てられた優先度をもつメッセージの処理を遅延させることとを含むように、動作を実行するためのプロセッサ実行可能命令で構成された、請求項３０に記載のメッセージ処理ユニット。
【請求項３６】
前記プロセッサが、
前記メッセージの前記決定された信頼性に基づいて前記メッセージの前記割り当てられた優先度を調整すること
をさらに含む動作を実行するためのプロセッサ実行可能命令で構成された、請求項３０に記載のメッセージ処理ユニット。
【請求項３７】
前記プロセッサは、前記割り当てられた優先度に従って前記受信したメッセージを処理することが、より低い優先度のメッセージがより高い優先度のメッセージの後に処理されるように受信したメッセージの処理に優先度を付けることを含むように、動作を実行するためのプロセッサ実行可能命令で構成された、請求項３０に記載のメッセージ処理ユニット。
【請求項３８】
前記プロセッサが、
前記受信されたピア伝送の送信機の近接度に基づいて前記メッセージの前記割り当てられた優先度を調整すること
をさらに含む動作を実行するためのプロセッサ実行可能命令で構成された、請求項３７に記載のメッセージ処理ユニット。
【請求項３９】
前記割り当てられた優先度は、前記メッセージが送信波形において符号化されるような形で反映される、請求項３０に記載のメッセージ処理ユニット。
【請求項４０】
メッセージが直交周波数領域多重アクセス波形中で送信され、高優先度メッセージが、あらかじめ定められたサブキャリア中で送信され、送信フレーム内のあらかじめ定められた時間内で送信され、またはその両方で送信される、請求項３９に記載のメッセージ処理ユニット。
【請求項４１】
ハイウェイ通信システム内での使用のために構成されたメッセージ処理ユニットであって、
前記ハイウェイ通信システム内のピア伝送として送信されるべきメッセージの信頼性を決定するための手段と、
前記メッセージの前記決定された信頼性に少なくとも部分的に基づいて前記メッセージに優先度を割り当てるための手段と、
前記メッセージが送信されるときに、前記決定された信頼性のインジケータを前記メッセージ中に含めるための手段と
を備え、
前記信頼性を決定するための手段は、前記メッセージ中で報告される値を推定するために使用される方法を識別するための手段または測定の不精確度を決定するための手段を含む、メッセージ処理ユニット。
【請求項４２】
前記ハイウェイ通信システム内のピア伝送として送信されるべきメッセージの信頼性を決定するための手段が、前記メッセージ内に含まれる複数のタイプの情報について複数の信頼性決定を行うための手段を含み、
前記メッセージが送信されるときに前記決定された信頼性のインジケータを前記メッセージ中に含めるための手段が、前記メッセージ内に含まれる複数のタイプの情報について前記決定された信頼性の各々のインジケーションを前記メッセージ中に含めるための手段を含む、請求項４１に記載のメッセージ処理ユニット。
【請求項４３】
ハイウェイ通信システム内のピア伝送を処理するためのメッセージ処理ユニットであって、
通信ユニットにおいてピア伝送メッセージを受信するための手段と、
前記受信したメッセージの信頼性を決定するための手段と、
前記メッセージの前記決定された信頼性に少なくとも部分的に基づいて前記メッセージに優先度を割り当てるための手段と、
前記決定された信頼性のインジケータを含めて前記受信したメッセージを再送信するための手段と
を備え、
前記信頼性を決定するための手段は、前記メッセージ中で報告される値を推定するために使用される方法を識別するための手段または測定の不精確度を決定するための手段を含む、メッセージ処理ユニット。
【請求項４４】
前記受信したメッセージから信頼性インジケータを取得するための手段と、
前記受信したメッセージのコンテンツを分析するための手段と、
前記受信したメッセージの前記コンテンツが、前記受信したメッセージから取得された前記信頼性インジケータと矛盾するかどうかを決定するための手段と
をさらに備え、
前記受信したメッセージの信頼性を決定するための手段は、前記受信したメッセージの前記コンテンツが前記受信したメッセージから取得された前記信頼性インジケータと矛盾する場合、前記受信したメッセージにより低い信頼性を割り当てるための手段を含む、請求項４３に記載のメッセージ処理ユニット。
【請求項４５】
前記受信したメッセージの信頼性を決定するための手段は、前記受信したメッセージの経過時間に基づいてフィルタリングされたピア伝送が信頼できるかどうかを決定するための手段を含む、請求項４３に記載のメッセージ処理ユニット。
【請求項４６】
前記受信したメッセージの信頼性を決定するための手段は、前記受信したメッセージの信号品質に基づいて、フィルタリングされたピア伝送が信頼できるかどうかを決定するための手段を含む、請求項４３に記載のメッセージ処理ユニット。
【請求項４７】
前記ハイウェイ通信システム内の路側ユニットから値を受信するための手段と、
乱数を生成するための手段と、
前記生成された乱数を前記受信した値と比較するための手段と
をさらに備え、
前記受信したメッセージを再送信するための手段が、前記生成された乱数と前記受信した値との前記比較の結果に基づいて前記受信したメッセージを再送信すべきかどうかを決定するための手段を含む、請求項４３に記載のメッセージ処理ユニット。
【請求項４８】
前記受信したメッセージの信頼性を決定するための手段は、前記受信されたピア伝送の信号強度に基づいて、フィルタリングされたピア伝送が信頼できるかどうかを決定するための手段を含む、請求項４３に記載のメッセージ処理ユニット。
【請求項４９】
前記受信したメッセージの送信機までの距離を計算するための手段をさらに備え、
前記受信されたピア伝送の信号強度に基づいて前記フィルタリングされたピア伝送が信頼できるかどうかを決定するための手段は、前記受信したメッセージの前記送信機までの前記計算された距離が前記受信されたピア伝送の前記信号強度と矛盾する場合、前記受信したメッセージにより低い信頼性を割り当てるための手段を含む、請求項４８に記載のメッセージ処理ユニット。
【請求項５０】
前記割り当てられた優先度に従って前記受信したメッセージを処理するための手段
をさらに備える、請求項４３に記載のメッセージ処理ユニット。
【請求項５１】
前記メッセージに優先度を割り当てるための手段が、前記受信したメッセージのヘッダ中のルーティングデータビット、ＭＡＣ識別子またはセキュリティ識別子に基づいて前記メッセージに優先度を割り当てるための手段を含む、請求項５０に記載のメッセージ処理ユニット。
【請求項５２】
前記メッセージに優先度を割り当てるための手段が、前記受信されたピア伝送のドップラーシフトに基づいて前記メッセージに優先度を割り当てるための手段を含む、請求項５０に記載のメッセージ処理ユニット。
【請求項５３】
前記メッセージに優先度を割り当てるための手段が、前記送信機のロケーションと前記送信機の高度とからなるグループから選択された１つまたは複数のパラメータに基づいて前記メッセージに優先度を割り当てるための手段を含む、請求項５０に記載のメッセージ処理ユニット。
【請求項５４】
前記メッセージに割り当てられた前記優先度のインジケーションを前記メッセージの前記再送信に含めるための手段をさらに備える、請求項５０に記載のメッセージ処理ユニット。
【請求項５５】
前記割り当てられた優先度に従って前記受信したメッセージを処理するための手段が、高い割り当てられた優先度をもつメッセージを即座に処理し、低い割り当てられた優先度をもつメッセージの処理を遅延させるための手段を含む、請求項５０に記載のメッセージ処理ユニット。
【請求項５６】
前記メッセージの前記決定された信頼性に基づいて前記メッセージの前記割り当てられた優先度を調整するための手段
をさらに備える、請求項５０に記載のメッセージ処理ユニット。
【請求項５７】
前記割り当てられた優先度に従って前記受信したメッセージを処理するための手段は、より低い優先度のメッセージがより高い優先度のメッセージの後に処理されるように受信したメッセージの処理に優先度を付けるための手段を含む、請求項５０に記載のメッセージ処理ユニット。
【請求項５８】
前記受信されたピア伝送の送信機の近接度に基づいて前記メッセージの前記割り当てられた優先度を調整するための手段
をさらに備える、請求項５７に記載のメッセージ処理ユニット。
【請求項５９】
前記割り当てられた優先度は、前記メッセージが送信波形において符号化されるような形で反映される、請求項５０に記載のメッセージ処理ユニット。
【請求項６０】
メッセージが直交周波数領域多重アクセス波形中で送信され、高優先度メッセージが、あらかじめ定められたサブキャリア中で送信され、送信フレーム内のあらかじめ定められた時間内で送信され、またはその両方で送信される、請求項５９に記載のメッセージ処理ユニット。
【請求項６１】
ハイウェイ通信システム内での使用のために構成されたメッセージ処理ユニットのプロセッサに、
前記ハイウェイ通信システム内のピア伝送として送信されるべきメッセージの信頼性を決定することと、
前記メッセージの前記決定された信頼性に少なくとも部分的に基づいて前記メッセージに優先度を割り当てることと、
前記メッセージが送信されるときに、前記決定された信頼性のインジケータを前記メッセージ中に含めることと、ここで、前記決定された信頼性は、前記メッセージ中で報告される値を推定するために使用される方法の識別または測定の不精確度を含む、
を含む動作を実行させるように構成されたプロセッサ実行可能命令を記憶した非一時的プロセッサ可読媒体。
【請求項６２】
前記記憶されたプロセッサ実行可能命令は、メッセージ処理ユニットのプロセッサに、
複数の信頼性決定が、前記メッセージ内に含まれる複数のタイプの情報について行われ、
前記メッセージが送信されるときに前記決定された信頼性のインジケータを前記メッセージ中に含めることが、前記メッセージ内に含まれる複数のタイプの情報について前記決定された信頼性の各々のインジケーションを前記メッセージ中に含めることを含む
ように、動作を実行させるように構成された、請求項６１に記載の非一時的プロセッサ可読媒体。
【請求項６３】
ハイウェイ通信システム内のピア伝送を処理するためのメッセージ処理ユニットのプロセッサに、
通信ユニットにおいてピア伝送メッセージを受信することと、
前記受信したメッセージの信頼性を決定することと、
前記メッセージの前記決定された信頼性に少なくとも部分的に基づいて前記メッセージに優先度を割り当てることと、
前記決定された信頼性のインジケータを含めて前記受信したメッセージを再送信することと、ここで、前記決定された信頼性は、前記メッセージ中で報告される値を推定するために使用される方法の識別または測定の不精確度を含む、
を含む動作を実行させるように構成されたプロセッサ実行可能命令を記憶した非一時的プロセッサ可読媒体。
【請求項６４】
前記記憶されたプロセッサ実行可能命令は、メッセージ処理ユニットのプロセッサに、
前記受信したメッセージから信頼性インジケータを取得することと、
前記受信したメッセージのコンテンツを分析することと、
前記受信したメッセージの前記コンテンツが、前記受信したメッセージから取得された前記信頼性インジケータと矛盾するかどうかを決定することと
をさらに含む動作を実行させるように構成され、
前記受信したメッセージの信頼性を決定することは、前記受信したメッセージの前記コンテンツが前記受信したメッセージから取得された前記信頼性インジケータと矛盾する場合、前記受信したメッセージにより低い信頼性を割り当てることを含む、請求項６３に記載の非一時的プロセッサ可読媒体。
【請求項６５】
前記記憶されたプロセッサ実行可能命令は、メッセージ処理ユニットのプロセッサに、前記受信したメッセージの信頼性を決定することが、前記受信したメッセージの経過時間に基づいてフィルタリングされたピア伝送が信頼できるかどうかを決定することを含むように、動作を実行させるように構成された、請求項６３に記載の非一時的プロセッサ可読媒体。
【請求項６６】
前記記憶されたプロセッサ実行可能命令は、メッセージ処理ユニットのプロセッサに、前記受信したメッセージの信頼性を決定することが、前記受信したメッセージの信号品質に基づいて、フィルタリングされたピア伝送が信頼できるかどうかを決定することを含むように、動作を実行させるように構成された、請求項６３に記載の非一時的プロセッサ可読媒体。
【請求項６７】
前記記憶されたプロセッサ実行可能命令が、メッセージ処理ユニットのプロセッサに、
前記ハイウェイ通信システム内の路側ユニットから値を受信することと、
乱数を生成することと、
前記生成された乱数を前記受信した値と比較することと
をさらに含む動作を実行させるように構成され、
前記受信したメッセージを再送信することが、前記生成された乱数と前記受信した値との前記比較の結果に基づいて達成される、請求項６３に記載の非一時的プロセッサ可読媒体。
【請求項６８】
前記記憶されたプロセッサ実行可能命令は、メッセージ処理ユニットのプロセッサに、前記受信したメッセージの信頼性を決定することが、前記受信されたピア伝送の信号強度に基づいて、フィルタリングされたピア伝送が信頼できるかどうかを決定することを含むように、動作を実行させるように構成された、請求項６３に記載の非一時的プロセッサ可読媒体。
【請求項６９】
前記記憶されたプロセッサ実行可能命令が、メッセージ処理ユニットのプロセッサに、前記受信したメッセージの送信機までの距離を計算することをさらに含む動作を実行させるように構成され、
前記記憶されたプロセッサ実行可能命令は、メッセージ処理ユニットのプロセッサに、前記受信されたピア伝送の信号強度に基づいて前記フィルタリングされたピア伝送が信頼できるかどうかを決定することが、前記受信したメッセージの前記送信機までの前記計算された距離が前記受信されたピア伝送の前記信号強度と矛盾する場合、前記受信したメッセージにより低い信頼性を割り当てることを含むように、動作を実行させるように構成された、請求項６８に記載の非一時的プロセッサ可読媒体。
【請求項７０】
前記記憶されたプロセッサ実行可能命令が、メッセージ処理ユニットのプロセッサに、
前記割り当てられた優先度に従って前記受信したメッセージを処理すること
をさらに含む動作を実行させるように構成された、請求項６３に記載の非一時的プロセッサ可読媒体。
【請求項７１】
前記記憶されたプロセッサ実行可能命令は、メッセージ処理ユニットのプロセッサに、前記メッセージに優先度を割り当てることが、前記受信したメッセージのヘッダ中のルーティングデータビット、ＭＡＣ識別子またはセキュリティ識別子に基づいて前記メッセージに優先度を割り当てることを含むように、動作を実行させるように構成された、請求項７０に記載の非一時的プロセッサ可読媒体。
【請求項７２】
前記記憶されたプロセッサ実行可能命令は、メッセージ処理ユニットのプロセッサに、前記メッセージに優先度を割り当てることが、前記受信されたピア伝送のドップラーシフトに基づいて前記メッセージに優先度を割り当てることを含むように、動作を実行させるように構成された、請求項７０に記載の非一時的プロセッサ可読媒体。
【請求項７３】
前記記憶されたプロセッサ実行可能命令は、メッセージ処理ユニットのプロセッサに、前記メッセージに優先度を割り当てることが、前記送信機のロケーションと前記送信機の高度とからなるグループから選択された１つまたは複数のパラメータに基づいて前記メッセージに優先度を割り当てることを含むように、動作を実行させるように構成された、請求項７０に記載の非一時的プロセッサ可読媒体。
【請求項７４】
前記記憶されたプロセッサ実行可能命令が、メッセージ処理ユニットのプロセッサに、前記メッセージに割り当てられた前記優先度のインジケーションを前記メッセージの前記再送信に含めることをさらに含む動作を実行させるように構成された、請求項７０に記載の非一時的プロセッサ可読媒体。
【請求項７５】
前記記憶されたプロセッサ実行可能命令は、メッセージ処理ユニットのプロセッサに、前記割り当てられた優先度に従って前記受信したメッセージを処理することが、高い割り当てられた優先度をもつメッセージを即座に処理することと、低い割り当てられた優先度をもつメッセージの処理を遅延させることとを含むように、動作を実行させるように構成された、請求項７０に記載の非一時的プロセッサ可読媒体。
【請求項７６】
前記記憶されたプロセッサ実行可能命令が、メッセージ処理ユニットのプロセッサに、
前記メッセージの前記決定された信頼性に基づいて前記メッセージの前記割り当てられた優先度を調整することをさらに含む動作を実行させるように構成された、請求項７０に記載の非一時的プロセッサ可読媒体。
【請求項７７】
前記記憶されたプロセッサ実行可能命令は、メッセージ処理ユニットのプロセッサに、前記割り当てられた優先度に従って前記受信したメッセージを処理することが、より低い優先度のメッセージがより高い優先度のメッセージの後に処理されるように受信したメッセージの処理に優先度を付けることを含むように、動作を実行させるように構成された、請求項７０に記載の非一時的プロセッサ可読媒体。
【請求項７８】
前記記憶されたプロセッサ実行可能命令が、メッセージ処理ユニットのプロセッサに、
前記受信されたピア伝送の送信機の近接度に基づいて前記メッセージの前記割り当てられた優先度を調整することをさらに含む動作を実行させるように構成された、請求項７７に記載の非一時的プロセッサ可読媒体。
【請求項７９】
前記割り当てられた優先度は、前記メッセージが送信波形において符号化されるような形で反映される、請求項７０に記載の非一時的プロセッサ可読媒体。
【請求項８０】
メッセージが直交周波数領域多重アクセス波形中で送信され、高優先度メッセージが、あらかじめ定められたサブキャリアで送信され、送信フレーム内のあらかじめ定められた時間内で送信され、またはその両方で送信される、請求項７９に記載の非一時的プロセッサ可読媒体。
【手続補正２】
【補正対象書類名】明細書
【補正対象項目名】００７６
【補正方法】変更
【補正の内容】
【００７６】
開示した実施形態の上記の説明は、当業者が本発明を製作または使用できるように提供したものである。これらの実施形態に対する様々な変更は当業者には容易に明らかであり、本明細書で定義した一般原理は、本発明の趣旨または範囲から逸脱することなく他の実施形態に適用され得る。したがって、本発明は、本明細書で示した実施形態に限定されるものではなく、以下の特許請求の範囲ならびに本明細書で開示する原理および新規の特徴に合致する最も広い範囲を与えられるべきである。
以下に、本願の出願当初請求項に記載された発明を付記する。
［Ｃ１］
ハイウェイ通信システム内のピア伝送を処理するための方法であって、
前記ハイウェイ通信システム内のピア伝送として送信されるべきメッセージの信頼性を決定することと、
前記メッセージが送信されるときに、前記決定された信頼性のインジケータを前記メッセージ中に含めることと
を備える、方法。
［Ｃ２］
前記決定された信頼性が、前記メッセージ中で報告される値を推定するために使用される方法の識別または測定の不精確度を含む、上記Ｃ１に記載の方法。
［Ｃ３］
複数の信頼性決定が、前記メッセージ内に含まれる複数のタイプの情報について行われ、
前記メッセージが送信されるときに前記決定された信頼性のインジケータを前記メッセージ中に含めることが、前記メッセージ内に含まれる複数のタイプの情報について前記決定された信頼性の各々のインジケーションを前記メッセージ中に含めることを含む、上記Ｃ１に記載の方法。
［Ｃ４］
ハイウェイ通信システム内のピア伝送を処理するための方法であって、
通信ユニットにおいて前記ハイウェイ通信システム内のピア伝送メッセージを受信することと、
前記受信したメッセージの信頼性を決定することと、
前記決定された信頼性のインジケータを含めて前記受信したメッセージを再送信することと
を備える、方法。
［Ｃ５］
前記受信したメッセージから信頼性インジケータを取得することと、
前記受信したメッセージのコンテンツを分析することと、
前記受信したメッセージの前記コンテンツが、前記受信したメッセージから取得された前記信頼性インジケータと矛盾するかどうかを決定することと
をさらに備え、
前記受信したメッセージの信頼性を決定することは、前記受信したメッセージの前記コンテンツが前記受信したメッセージから取得された前記信頼性インジケータと矛盾する場合、前記受信したメッセージにより低い信頼性を割り当てることを含む、上記Ｃ４に記載の方法。
［Ｃ６］
前記受信したメッセージの信頼性を決定することは、前記受信したメッセージの経過時間に基づいて、フィルタリングされたピア伝送が信頼できるかどうかを決定することを含む、上記Ｃ４に記載の方法。
［Ｃ７］
前記受信したメッセージの信頼性を決定することは、前記受信したメッセージの信号品質に基づいて、フィルタリングされたピア伝送が信頼できるかどうかを決定することを含む、上記Ｃ４に記載の方法。
［Ｃ８］
前記ハイウェイ通信システム内の路側ユニットから値を受信することと、
乱数を生成することと、
前記生成された乱数を前記受信した値と比較することと
をさらに備え、
前記受信したメッセージを再送信することが、前記生成された乱数と前記受信した値との前記比較の結果に基づいて達成される、上記Ｃ４に記載の方法。
［Ｃ９］
前記受信したメッセージの信頼性を決定することは、前記受信されたピア伝送の信号強度に基づいて、フィルタリングされたピア伝送が信頼できるかどうかを決定することを含む、上記Ｃ４に記載の方法。
［Ｃ１０］
前記受信したメッセージの送信機までの距離を計算することをさらに備え、前記受信されたピア伝送の信号強度に基づいて前記フィルタリングされたピア伝送が信頼できるかどうかを決定することは、前記受信したメッセージの前記送信機までの前記計算された距離が前記受信されたピア伝送の前記信号強度と矛盾する場合、前記受信したメッセージにより低い信頼性を割り当てることを含む、上記Ｃ９に記載の方法。
［Ｃ１１］
前記メッセージに優先度を割り当てることと、
前記割り当てられた優先度に従って前記受信したメッセージを処理することと
をさらに備える、上記Ｃ４に記載の方法。
［Ｃ１２］
前記メッセージに優先度を割り当てることが、前記受信したメッセージのヘッダ中のルーティングデータビット、ＭＡＣ識別子またはセキュリティ識別子に基づいて前記メッセージに優先度を割り当てることを含む、上記Ｃ１１に記載の方法。
［Ｃ１３］
前記メッセージに優先度を割り当てることが、前記受信されたピア伝送のドップラーシフトに基づいて前記メッセージに優先度を割り当てることを含む、上記Ｃ１１に記載の方法。
［Ｃ１４］
前記メッセージに優先度を割り当てることが、前記送信機のロケーションと前記送信機の高度とからなるグループから選択された１つまたは複数のパラメータに基づいて前記メッセージに優先度を割り当てることを含む、上記Ｃ１１に記載の方法。
［Ｃ１５］
前記メッセージに割り当てられた前記優先度のインジケーションを前記メッセージの前記再送信に含めることをさらに備える、上記Ｃ１１に記載の方法。
［Ｃ１６］
前記割り当てられた優先度に従って前記受信したメッセージを処理することが、高い割り当てられた優先度をもつメッセージを即座に処理することと、低い割り当てられた優先度をもつメッセージの処理を遅延させることとを含む、上記Ｃ１１に記載の方法。
［Ｃ１７］
前記メッセージの前記決定された信頼性に基づいて前記メッセージの前記割り当てられた優先度を調整すること
をさらに備える、上記Ｃ１１に記載の方法。
［Ｃ１８］
前記割り当てられた優先度に従って前記受信したメッセージを処理することは、より低い優先度のメッセージがより高い優先度のメッセージの後に処理されるように受信したメッセージの処理に優先度を付けることを含む、上記Ｃ１１に記載の方法。
［Ｃ１９］
前記受信されたピア伝送の送信機の近接度に基づいて前記メッセージの前記割り当てられた優先度を調整すること
をさらに備える、上記Ｃ１８に記載の方法。
［Ｃ２０］
前記割り当てられた優先度は、前記メッセージが伝送波形において符号化されるような形で反映される、上記Ｃ１１に記載の方法。
［Ｃ２１］
メッセージが直交周波数領域多重アクセス（ＯＦＤＭＡ）波形中で送信され、高優先度メッセージが、あらかじめ定められたサブキャリア中で送信され、送信フレーム内のあらかじめ定められた時間内で送信され、またはその両方で送信される、上記Ｃ２０に記載の方法。
［Ｃ２２］
ハイウェイ通信システム内での使用のために構成されたメッセージ処理ユニットであって、
ワイヤレストランシーバと、
前記ワイヤレストランシーバに結合されたプロセッサと
を備え、前記プロセッサは、
前記ハイウェイ通信システム内のピア伝送として送信されるべきメッセージの信頼性を決定することと、
前記メッセージが送信されるときに、前記決定された信頼性のインジケータを前記メッセージ中に含めることと
を含む動作を実行するためのプロセッサ実行可能命令で構成された、メッセージ処理ユニット。
［Ｃ２３］
前記プロセッサは、前記決定された信頼性が、前記メッセージ中で報告される値を推定するために使用される方法の識別または測定の不精確さを含むように、動作を実行するためのプロセッサ実行可能命令で構成された、上記Ｃ２２に記載のメッセージ処理ユニット。
［Ｃ２４］
前記プロセッサは、
複数の信頼性決定が、前記メッセージ内に含まれる複数のタイプの情報について行われ、
前記メッセージが送信されるときに前記決定された信頼性のインジケータを前記メッセージ中に含めることが、前記メッセージ内に含まれる複数のタイプの情報について前記決定された信頼性の各々のインジケーションを前記メッセージ中に含めることを含む
ように、動作を実行するためのプロセッサ実行可能命令で構成された、上記Ｃ２２に記載のメッセージ処理ユニット。
［Ｃ２５］
ハイウェイ通信システム内のピア伝送を処理するためのメッセージ処理ユニットであって、
ワイヤレストランシーバと、
前記ワイヤレストランシーバに結合されたプロセッサと
を備え、前記プロセッサが、
通信ユニットにおいてピア伝送メッセージを受信することと、
前記受信したメッセージの信頼性を決定することと、
前記決定された信頼性のインジケータを含めて前記受信したメッセージを再送信することと
を含む動作を実行するためのプロセッサ実行可能命令で構成された、メッセージ処理ユニット。
［Ｃ２６］
前記プロセッサは、
前記受信したメッセージから信頼性インジケータを取得することと、
前記受信したメッセージのコンテンツを分析することと、
前記受信したメッセージの前記コンテンツが、前記受信したメッセージから取得された前記信頼性インジケータと矛盾するかどうかを決定することと
をさらに備える動作を実行するためのプロセッサ実行可能命令で構成され、
前記受信したメッセージの信頼性を決定することは、前記受信したメッセージの前記コンテンツが前記受信したメッセージから取得された前記信頼性インジケータと矛盾する場合、前記受信したメッセージにより低い信頼性を割り当てることを含む、上記Ｃ２５に記載のメッセージ処理ユニット。
［Ｃ２７］
前記プロセッサは、前記受信したメッセージの信頼性を決定することが、前記受信したメッセージの経過時間に基づいてフィルタリングされたピア伝送が信頼できるかどうかを決定することを含むように、動作を実行するためのプロセッサ実行可能命令で構成された、上記Ｃ２５に記載のメッセージ処理ユニット。
［Ｃ２８］
前記プロセッサは、前記受信したメッセージの信頼性を決定することが、前記受信したメッセージの信号品質に基づいて、フィルタリングされたピア伝送が信頼できるかどうかを決定することを含むように、動作を実行するためのプロセッサ実行可能命令で構成された、上記Ｃ２５に記載のメッセージ処理ユニット。
［Ｃ２９］
前記プロセッサが、
前記ハイウェイ通信システム内の路側ユニットから値を受信することと、
乱数を生成することと、
前記生成された乱数を前記受信した値と比較することと
をさらに含む動作を実行するためのプロセッサ実行可能命令で構成され、
前記受信したメッセージを再送信することが、前記生成された乱数と前記受信した値との前記比較の結果に基づいて達成される、上記Ｃ２５に記載のメッセージ処理ユニット。
［Ｃ３０］
前記プロセッサは、前記受信したメッセージの信頼性を決定することが、前記受信されたピア伝送の信号強度に基づいて、フィルタリングされたピア伝送が信頼できるかどうかを決定することを含むように、動作を実行するためのプロセッサ実行可能命令で構成された、上記Ｃ２５に記載のメッセージ処理ユニット。
［Ｃ３１］
前記プロセッサが、前記受信したメッセージの送信機までの距離を計算することをさらに含む動作を実行するためのプロセッサ実行可能命令で構成され、
前記プロセッサは、前記受信されたピア伝送の信号強度に基づいて前記フィルタリングされたピア伝送が信頼できるかどうかを決定することが、前記受信したメッセージの前記送信機までの前記計算された距離が前記受信されたピア伝送の前記信号強度と矛盾する場合、前記受信したメッセージにより低い信頼性を割り当てることを含むように、動作を実行するためのプロセッサ実行可能命令で構成された、上記Ｃ３０に記載のメッセージ処理ユニット。
［Ｃ３２］
前記プロセッサが、
前記メッセージに優先度を割り当てることと、
前記割り当てられた優先度に従って前記受信したメッセージを処理することと
をさらに含む動作を実行するためのプロセッサ実行可能命令で構成された、上記Ｃ２５に記載のメッセージ処理ユニット。
［Ｃ３３］
前記プロセッサは、前記メッセージに優先度を割り当てることが、前記受信したメッセージのヘッダ中のルーティングデータビット、ＭＡＣ識別子またはセキュリティ識別子に基づいて前記メッセージに優先度を割り当てることを含むように、動作を実行するためのプロセッサ実行可能命令で構成された、上記Ｃ３２に記載のメッセージ処理ユニット。
［Ｃ３４］
前記プロセッサは、前記メッセージに優先度を割り当てることが、前記受信されたピア伝送のドップラーシフトに基づいて前記メッセージに優先度を割り当てることを含むように、動作を実行するためのプロセッサ実行可能命令で構成された、上記Ｃ３２に記載のメッセージ処理ユニット。
［Ｃ３５］
前記プロセッサは、前記メッセージに優先度を割り当てることが、前記送信機のロケーションと前記送信機の高度とからなるグループから選択された１つまたは複数のパラメータに基づいて前記メッセージに優先度を割り当てることを含むように、動作を実行するためのプロセッサ実行可能命令で構成された、上記Ｃ３２に記載のメッセージ処理ユニット。
［Ｃ３６］
前記プロセッサが、前記メッセージに割り当てられた前記優先度のインジケーションを前記メッセージの前記再送信に含めることをさらに含む動作を実行するためのプロセッサ実行可能命令で構成された、上記Ｃ３２に記載のメッセージ処理ユニット。
［Ｃ３７］
前記プロセッサは、前記割り当てられた優先度に従って前記受信したメッセージを処理することが、高い割り当てられた優先度をもつメッセージを即座に処理することと、低い割り当てられた優先度をもつメッセージの処理を遅延させることとを含むように、動作を実行するためのプロセッサ実行可能命令で構成された、上記Ｃ３２に記載のメッセージ処理ユニット。
［Ｃ３８］
前記プロセッサが、
前記メッセージの前記決定された信頼性に基づいて前記メッセージの前記割り当てられた優先度を調整すること
をさらに含む動作を実行するためのプロセッサ実行可能命令で構成された、上記Ｃ３２に記載のメッセージ処理ユニット。
［Ｃ３９］
前記プロセッサは、前記割り当てられた優先度に従って前記受信したメッセージを処理することが、より低い優先度のメッセージがより高い優先度のメッセージの後に処理されるように受信したメッセージの処理に優先度を付けることを含むように、動作を実行するためのプロセッサ実行可能命令で構成された、上記Ｃ３２に記載のメッセージ処理ユニット。
［Ｃ４０］
前記プロセッサが、
前記受信されたピア伝送の送信機の近接度に基づいて前記メッセージの前記割り当てられた優先度を調整すること
をさらに含む動作を実行するためのプロセッサ実行可能命令で構成された、上記Ｃ３９に記載のメッセージ処理ユニット。
［Ｃ４１］
前記割り当てられた優先度は、前記メッセージが送信波形において符号化されるような形で反映される、上記Ｃ３２に記載のメッセージ処理ユニット。
［Ｃ４２］
メッセージが直交周波数領域多重アクセス（ＯＦＤＭＡ）波形中で送信され、高優先度メッセージが、あらかじめ定められたサブキャリア中で送信され、送信フレーム内のあらかじめ定められた時間内で送信され、またはその両方で送信される、上記Ｃ４１に記載のメッセージ処理ユニット。
［Ｃ４３］
ハイウェイ通信システム内での使用のために構成されたメッセージ処理ユニットであって、
前記ハイウェイ通信システム内のピア伝送として送信されるべきメッセージの信頼性を決定することと、
前記メッセージが送信されるときに、前記決定された信頼性のインジケータを前記メッセージ中に含めることと
を備える、メッセージ処理ユニット。
［Ｃ４４］
前記決定された信頼性が、前記メッセージ中で報告される値を推定するために使用される方法の識別または測定の不精確さを含む、上記Ｃ４３に記載のメッセージ処理ユニット。
［Ｃ４５］
複数の信頼性決定が、前記メッセージ内に含まれる複数のタイプの情報について行われ、
前記メッセージが送信されるときに前記決定された信頼性のインジケータを前記メッセージ中に含めるための手段が、前記メッセージ内に含まれる複数のタイプの情報について前記決定された信頼性の各々のインジケーションを前記メッセージ中に含めるための手段を含む、上記Ｃ４３に記載のメッセージ処理ユニット。
［Ｃ４６］
ハイウェイ通信システム内のピア伝送を処理するためのメッセージ処理ユニットであって、
通信ユニットにおいてピア伝送メッセージを受信するための手段と、
前記受信したメッセージの信頼性を決定するための手段と、
前記決定された信頼性のインジケータを含めて前記受信したメッセージを再送信するための手段と
を備える、メッセージ処理ユニット。
［Ｃ４７］
前記受信したメッセージから信頼性インジケータを取得するための手段と、
前記受信したメッセージのコンテンツを分析するための手段と、
前記受信したメッセージの前記コンテンツが、前記受信したメッセージから取得された前記信頼性インジケータと矛盾するかどうかを決定するための手段と
をさらに備え、
前記受信したメッセージの信頼性を決定するための手段は、前記受信したメッセージの前記コンテンツが前記受信したメッセージから取得された前記信頼性インジケータと矛盾する場合、前記受信したメッセージにより低い信頼性を割り当てるための手段を含む、上記Ｃ４６に記載のメッセージ処理ユニット。
［Ｃ４８］
前記受信したメッセージの信頼性を決定するための手段は、前記受信したメッセージの経過時間に基づいてフィルタリングされたピア伝送が信頼できるかどうかを決定するための手段を含む、上記Ｃ４６に記載のメッセージ処理ユニット。
［Ｃ４９］
前記受信したメッセージの信頼性を決定するための手段は、前記受信したメッセージの信号品質に基づいて、フィルタリングされたピア伝送が信頼できるかどうかを決定するための手段を含む、上記Ｃ４６に記載のメッセージ処理ユニット。
［Ｃ５０］
前記ハイウェイ通信システム内の路側ユニットから値を受信するための手段と、
乱数を生成するための手段と、
前記生成された乱数を前記受信した値と比較するための手段と
をさらに備え、
前記受信したメッセージを再送信するための手段が、前記生成された乱数と前記受信した値との前記比較の結果に基づいて前記受信したメッセージを再送信すべきかどうかを決定するための手段を含む、上記Ｃ４６に記載のメッセージ処理ユニット。
［Ｃ５１］
前記受信したメッセージの信頼性を決定するための手段は、前記受信されたピア伝送の信号強度に基づいて、フィルタリングされたピア伝送が信頼できるかどうかを決定するための手段を含む、上記Ｃ４６に記載のメッセージ処理ユニット。
［Ｃ５２］
前記受信したメッセージの送信機までの距離を計算するための手段をさらに備え、
前記受信されたピア伝送の信号強度に基づいて前記フィルタリングされたピア伝送が信頼できるかどうかを決定するための手段は、前記受信したメッセージの前記送信機までの前記計算された距離が前記受信されたピア伝送の前記信号強度と矛盾する場合、前記受信したメッセージにより低い信頼性を割り当てるための手段を含む、上記Ｃ５１に記載のメッセージ処理ユニット。
［Ｃ５３］
前記メッセージに優先度を割り当てるための手段と、
前記割り当てられた優先度に従って前記受信したメッセージを処理するための手段と
をさらに備える、上記Ｃ４６に記載のメッセージ処理ユニット。
［Ｃ５４］
前記メッセージに優先度を割り当てるための手段が、前記受信したメッセージのヘッダ中のルーティングデータビット、ＭＡＣ識別子またはセキュリティ識別子に基づいて前記メッセージに優先度を割り当てるための手段を含む、上記Ｃ５３に記載のメッセージ処理ユニット。
［Ｃ５５］
前記メッセージに優先度を割り当てるための手段が、前記受信されたピア伝送のドップラーシフトに基づいて前記メッセージに優先度を割り当てるための手段を含む、上記Ｃ５３に記載のメッセージ処理ユニット。
［Ｃ５６］
前記メッセージに優先度を割り当てるための手段が、前記送信機のロケーションと前記送信機の高度とからなるグループから選択された１つまたは複数のパラメータに基づいて前記メッセージに優先度を割り当てるための手段を含む、上記Ｃ５３に記載のメッセージ処理ユニット。
［Ｃ５７］
前記メッセージに割り当てられた前記優先度のインジケーションを前記メッセージの前記再送信に含めるための手段をさらに備える、上記Ｃ５３に記載のメッセージ処理ユニット。
［Ｃ５８］
前記割り当てられた優先度に従って前記受信したメッセージを処理するための手段が、高い割り当てられた優先度をもつメッセージを即座に処理し、低い割り当てられた優先度をもつメッセージの処理を遅延させるための手段を含む、上記Ｃ５３に記載のメッセージ処理ユニット。
［Ｃ５９］
前記メッセージの前記決定された信頼性に基づいて前記メッセージの前記割り当てられた優先度を調整するための手段
をさらに備える、上記Ｃ５３に記載のメッセージ処理ユニット。
［Ｃ６０］
前記割り当てられた優先度に従って前記受信したメッセージを処理するための手段は、より低い優先度のメッセージがより高い優先度のメッセージの後に処理されるように受信したメッセージの処理に優先度を付けるための手段を含む、上記Ｃ５３に記載のメッセージ処理ユニット。
［Ｃ６１］
前記受信されたピア伝送の送信機の近接度に基づいて前記メッセージの前記割り当てられた優先度を調整するための手段
をさらに備える、上記Ｃ６０に記載のメッセージ処理ユニット。
［Ｃ６２］
前記割り当てられた優先度は、前記メッセージが送信波形において符号化されるような形で反映される、上記Ｃ５３に記載のメッセージ処理ユニット。
［Ｃ６３］
メッセージが直交周波数領域多重アクセス（ＯＦＤＭＡ）波形中で送信され、高優先度メッセージが、あらかじめ定められたサブキャリア中で送信され、送信フレーム内のあらかじめ定められた時間内で送信され、またはその両方で送信される、上記Ｃ６２に記載のメッセージ処理ユニット。
［Ｃ６４］
ハイウェイ通信システム内での使用のために構成されたメッセージ処理ユニットのプロセッサに、
前記ハイウェイ通信システム内のピア伝送として送信されるべきメッセージの信頼性を決定することと、
前記メッセージが送信されるときに、前記決定された信頼性のインジケータを前記メッセージ中に含めることと
を含む動作を実行させるように構成されたプロセッサ実行可能命令を記憶した非一時的プロセッサ可読媒体。
［Ｃ６５］
前記記憶されたプロセッサ実行可能命令は、メッセージ処理ユニットのプロセッサに、前記決定された信頼性が、前記メッセージ中で報告される値を推定するために使用される方法の識別または測定の不精確さを含むように、動作を実行させるように構成された、上記Ｃ６４に記載の非一時的プロセッサ可読媒体。
［Ｃ６６］
前記記憶されたプロセッサ実行可能命令は、メッセージ処理ユニットのプロセッサに、
複数の信頼性決定が、前記メッセージ内に含まれる複数のタイプの情報について行われ、
前記メッセージが送信されるときに前記決定された信頼性のインジケータを前記メッセージ中に含めることが、前記メッセージ内に含まれる複数のタイプの情報について前記決定された信頼性の各々のインジケーションを前記メッセージ中に含めることを含む
ように、動作を実行させるように構成された、上記Ｃ６４に記載の非一時的プロセッサ可読媒体。
［Ｃ６７］
ハイウェイ通信システム内のピア伝送を処理するためのメッセージ処理ユニットのプロセッサに、
通信ユニットにおいてピア伝送メッセージを受信することと、
前記受信したメッセージの信頼性を決定することと、
前記決定された信頼性のインジケータを含めて前記受信したメッセージを再送信することと
を含む動作を実行させるように構成されたプロセッサ実行可能命令を記憶した非一時的プロセッサ可読媒体。
［Ｃ６８］
前記記憶されたプロセッサ実行可能命令は、メッセージ処理ユニットのプロセッサに、
前記受信したメッセージから信頼性インジケータを取得することと、
前記受信したメッセージのコンテンツを分析することと、
前記受信したメッセージの前記コンテンツが、前記受信したメッセージから取得された前記信頼性インジケータと矛盾するかどうかを決定することと
をさらに含む動作を実行させるように構成され、
前記受信したメッセージの信頼性を決定することは、前記受信したメッセージの前記コンテンツが前記受信したメッセージから取得された前記信頼性インジケータと矛盾する場合、前記受信したメッセージにより低い信頼性を割り当てることを含む、上記Ｃ６７に記載の非一時的プロセッサ可読媒体。
［Ｃ６９］
前記記憶されたプロセッサ実行可能命令は、メッセージ処理ユニットのプロセッサに、前記受信したメッセージの信頼性を決定することが、前記受信したメッセージの経過時間に基づいてフィルタリングされたピア伝送が信頼できるかどうかを決定することを含むように、動作を実行させるように構成された、上記Ｃ６７に記載の非一時的プロセッサ可読媒体。
［Ｃ７０］
前記記憶されたプロセッサ実行可能命令は、メッセージ処理ユニットのプロセッサに、前記受信したメッセージの信頼性を決定することが、前記受信したメッセージの信号品質に基づいて、フィルタリングされたピア伝送が信頼できるかどうかを決定することを含むように、動作を実行させるように構成された、上記Ｃ６７に記載の非一時的プロセッサ可読媒体。
［Ｃ７１］
前記記憶されたプロセッサ実行可能命令が、メッセージ処理ユニットのプロセッサに、
前記ハイウェイ通信システム内の路側ユニットから値を受信することと、
乱数を生成することと、
前記生成された乱数を前記受信した値と比較することと
をさらに含む動作を実行させるように構成され、
前記受信したメッセージを再送信することが、前記生成された乱数と前記受信した値との前記比較の結果に基づいて達成される、上記Ｃ６７に記載の非一時的プロセッサ可読媒体。
［Ｃ７２］
前記記憶されたプロセッサ実行可能命令は、メッセージ処理ユニットのプロセッサに、前記受信したメッセージの信頼性を決定することが、前記受信されたピア伝送の信号強度に基づいて、フィルタリングされたピア伝送が信頼できるかどうかを決定することを含むように、動作を実行させるように構成された、上記Ｃ６７に記載の非一時的プロセッサ可読媒体。
［Ｃ７３］
前記記憶されたプロセッサ実行可能命令が、メッセージ処理ユニットのプロセッサに、前記受信したメッセージの送信機までの距離を計算することをさらに含む動作を実行させるように構成され、
前記記憶されたプロセッサ実行可能命令は、メッセージ処理ユニットのプロセッサに、前記受信されたピア伝送の信号強度に基づいて前記フィルタリングされたピア伝送が信頼できるかどうかを決定することが、前記受信したメッセージの前記送信機までの前記計算された距離が前記受信されたピア伝送の前記信号強度と矛盾する場合、前記受信したメッセージにより低い信頼性を割り当てることを含むように、動作を実行させるように構成された、上記Ｃ７２に記載の非一時的プロセッサ可読媒体。
［Ｃ７４］
前記記憶されたプロセッサ実行可能命令が、メッセージ処理ユニットのプロセッサに、
前記メッセージに優先度を割り当てることと、
前記割り当てられた優先度に従って前記受信したメッセージを処理することと
をさらに含む動作を実行させるように構成された、上記Ｃ６７に記載の非一時的プロセッサ可読媒体。
［Ｃ７５］
前記記憶されたプロセッサ実行可能命令は、メッセージ処理ユニットのプロセッサに、前記メッセージに優先度を割り当てることが、前記受信したメッセージのヘッダ中のルーティングデータビット、ＭＡＣ識別子またはセキュリティ識別子に基づいて前記メッセージに優先度を割り当てることを含むように、動作を実行させるように構成された、上記Ｃ７４に記載の非一時的プロセッサ可読媒体。
［Ｃ７６］
前記記憶されたプロセッサ実行可能命令は、メッセージ処理ユニットのプロセッサに、前記メッセージに優先度を割り当てることが、前記受信されたピア伝送のドップラーシフトに基づいて前記メッセージに優先度を割り当てることを含むように、動作を実行させるように構成された、上記Ｃ７４に記載の非一時的プロセッサ可読媒体。
［Ｃ７７］
前記記憶されたプロセッサ実行可能命令は、メッセージ処理ユニットのプロセッサに、前記メッセージに優先度を割り当てることが、前記送信機のロケーションと前記送信機の高度とからなるグループから選択された１つまたは複数のパラメータに基づいて前記メッセージに優先度を割り当てることを含むように、動作を実行させるように構成された、上記Ｃ７４に記載の非一時的プロセッサ可読媒体。
［Ｃ７８］
前記記憶されたプロセッサ実行可能命令が、メッセージ処理ユニットのプロセッサに、前記メッセージに割り当てられた前記優先度のインジケーションを前記メッセージの前記再送信に含めることをさらに含む動作を実行させるように構成された、上記Ｃ７４に記載の非一時的プロセッサ可読媒体。
［Ｃ７９］
前記記憶されたプロセッサ実行可能命令は、メッセージ処理ユニットのプロセッサに、前記割り当てられた優先度に従って前記受信したメッセージを処理することが、高い割り当てられた優先度をもつメッセージを即座に処理することと、低い割り当てられた優先度をもつメッセージの処理を遅延させることとを含むように、動作を実行させるように構成された、上記Ｃ７４に記載の非一時的プロセッサ可読媒体。
［Ｃ８０］
前記記憶されたプロセッサ実行可能命令が、メッセージ処理ユニットのプロセッサに、
前記メッセージの前記決定された信頼性に基づいて前記メッセージの前記割り当てられた優先度を調整すること
をさらに含む動作を実行させるように構成された、上記Ｃ７４に記載の非一時的プロセッサ可読媒体。
［Ｃ８１］
前記記憶されたプロセッサ実行可能命令は、メッセージ処理ユニットのプロセッサに、前記割り当てられた優先度に従って前記受信したメッセージを処理することが、より低い優先度のメッセージがより高い優先度のメッセージの後に処理されるように受信したメッセージの処理に優先度を付けることを含むように、動作を実行させるように構成された、上記Ｃ７４に記載の非一時的プロセッサ可読媒体。
［Ｃ８２］
前記記憶されたプロセッサ実行可能命令が、メッセージ処理ユニットのプロセッサに、
前記受信されたピア伝送の送信機の近接度に基づいて前記メッセージの前記割り当てられた優先度を調整すること
をさらに含む動作を実行させるように構成された、上記Ｃ８１に記載の非一時的プロセッサ可読媒体。
［Ｃ８３］
前記割り当てられた優先度は、前記メッセージが送信波形において符号化されるような形で反映される、上記Ｃ７４に記載の非一時的プロセッサ可読媒体。
［Ｃ８４］
メッセージが直交周波数領域多重アクセス（ＯＦＤＭＡ）波形中で送信され、高優先度メッセージが、あらかじめ定められたサブキャリアで送信され、送信フレーム内のあらかじめ定められた時間内で送信され、またはその両方で送信される、上記Ｃ８３に記載の非一時的プロセッサ可読媒体。